(57)【要約】【課題】簡易な構成で、非退避レンズ群と退避レンズ群との間に配置された光規制部材等との干渉を回避しながら、非撮影状態へ移行する際の退避レンズ群の退避、および撮影状態時に要求される光学素子の配置を容易に実現することができる沈胴式のレンズ鏡筒を提供する。【解決手段】このレンズ鏡筒１００では、第２レンズ群１２０を収容するスライドベース１７０に付勢バネ１９０を介して遮光部材１８０が取り付けられている。スライドベース１７０を光軸Ｏに沿って移動させて遮光部材１８０に対する押圧部材１４１の押圧を解除するだけで、非撮影状態へ移行する際に、遮光部材１８０と第２レンズ群１２０および第２レンズ群枠１５０とが干渉しないように一定の間隔を保持することができる。【選択図】図１
2014145994.tif 000002
【特許請求の範囲】
【請求項１】
ズームレンズの一部を構成し、撮影状態では前記ズームレンズの光軸位置に移動し、非撮影状態では前記光軸位置から退避位置に退避する退避レンズ群を有する沈胴式のレンズ鏡筒であって、
前記退避レンズ群が前記光軸位置または前記退避位置に位置するように制御する退避レンズ群位置制御手段と、
前記ズームレンズの光軸に沿う方向へ移動し前記退避レンズ群との相対距離を変化させることが可能な光規制部材と、を備え、
第１の撮影状態では、前記光規制部材が、前記退避レンズ群の少なくとも一部と前記光軸と略直交する方向に重なるように配置され、
第１の撮影状態から非撮影状態へ移行する際には、前記光規制部材が、前記退避レンズ群から離間する方向へ移動され、前記退避レンズ群と前記光軸に略直交する方向に重ならない位置に配置されることを特徴とするレンズ鏡筒。
【請求項２】
前記ズームレンズの一部を構成し、撮影状態では前記退避レンズ群と隣接して前記退避レンズ群の物体側に配置され、かつ前記光軸に沿う方向へ移動可能な非退避レンズ群を備え、
前記第１の撮影状態では、前記退避レンズ群と前記非退避レンズ群とが最も接近するよう配置され、
前記第１の撮影状態から非撮影状態へ移行する際に、光軸方向において前記非退避レンズ群の移動量が、前記退避レンズ群の移動量より少ないことを特徴とする請求項１に記載のレンズ鏡筒。
【請求項３】
前記退避レンズ群位置制御手段は、前記退避レンズ群を保持する退避レンズ群枠と、前記退避レンズ群が前記光軸位置または前記退避位置に位置するように前記退避レンズ群枠を移動させる退避レンズ群枠移動手段と、前記退避レンズ群枠および前記退避レンズ群枠移動手段を収容するベース部材と、を備え、
前記退避レンズ群の前記ベース部材に対する前記光軸に沿う方向の相対位置は一定に保持されていることを特徴とする請求項１または２に記載のレンズ鏡筒。
【請求項４】
前記光規制部材は、前記光軸に沿う方向へ付勢する付勢部材を介して前記ベース部材に取り付けられており、
第１の撮影状態では、前記光規制部材が、押圧されて前記退避レンズ群の少なくとも一部と前記光軸と略直交する方向に重なるように配置され、
第１の撮影状態から非撮影状態へ移行する際には、前記光規制部材が、押圧状態から解除されて、前記付勢部材の付勢により前記退避レンズ群から離間する方向へ移動され、前記退避レンズ群と前記光軸に略直交する方向に重ならない位置に配置されることを特徴とする請求項１〜３のいずれか一つに記載のレンズ鏡筒。
【請求項５】
前記ズームレンズの一部を構成し、撮影状態では前記退避レンズ群と隣接して前記退避レンズ群の物体側に配置され、かつ前記光軸に沿う方向へ移動可能な非退避レンズ群を備え、
第１の撮影状態では、前記ベース部材が前記非退避レンズ群の方向へ移動し、前記光規制部材が前記非退避レンズ群を保持する非退避レンズ群枠によって押圧されることで、前記退避レンズ群と前記非退避レンズ群との間隔が非撮影状態よりも狭くなることを特徴とする請求項４に記載のレンズ鏡筒。
【請求項６】
前記非退避レンズ群枠は、前記光規制部材を押圧する押圧部材を備え、
前記押圧部材と前記付勢部材とは、光軸と略平行な同一直線上に配置されるように形成されていることを特徴とする請求項５に記載のレンズ鏡筒。
【請求項７】
前記退避レンズ群の前記非退避レンズ群に対向する面は凸形状をなし、前記非退避レンズ群の前記退避レンズ群に対向する面は凹形状をなしており、
前記第１の撮影状態では、前記退避レンズ群の凸形状面の頂部は、前記非退避レンズ群の凹形状面の凹部に入り込んでいることを特徴とする請求項２〜６のいずれか一つに記載のレンズ鏡筒。
【請求項８】
前記ズームレンズの一部を構成し、撮影状態では前記退避レンズ群と隣接して配置される第２の非退避レンズ群を備え、
非撮影状態では、前記光規制部材が、前記第２の非退避レンズ群の少なくとも一部と前記光軸と略直交する方向に重なるように配置されることを特徴とする請求項１〜７のいずれか一つに記載のレンズ鏡筒。
【請求項９】
前記光規制部材は、遮光部材または可変絞りによって構成されることを特徴とする請求項１〜８のいずれか一つに記載のレンズ鏡筒。
【発明の詳細な説明】
【技術分野】
【０００１】
本発明は、撮影状態（伸長状態）から非撮影状態（沈胴状態）へ移行する際に、ズームレンズを構成する一部のレンズ群をズームレンズの光軸位置から退避させ、非撮影状態時の全長を短縮するレンズ鏡筒に関する。
【背景技術】
【０００２】
複数のレンズ群を備えたレンズ鏡筒において、撮影状態から非撮影状態へ移行するときの動作に連動させて、所定のレンズ群を撮影光学系の光路から退避させることで、非撮影状態時のレンズ鏡筒の全長の短縮を実現する技術が提案されている。
【０００３】
このようなレンズ鏡筒のなかで、退避レンズ群と非退避レンズ群との間にシャッタ等の光規制部材が備えられているものがある。この場合、退避レンズ群の退避時に、退避レンズ群が光規制部材に干渉しないように退避レンズ群を保持するレンズ枠を移動させる工夫が施されている（たとえば、特許文献１を参照。）。
【先行技術文献】
【特許文献】
【０００４】
【特許文献１】特開２００８−１７０６５０号公報
【発明の概要】
【発明が解決しようとする課題】
【０００５】
特許文献１に記載のレンズ鏡筒では、退避レンズ群の退避時に、退避レンズ群と光規制部材との干渉を確実に回避するため、退避レンズ群を光規制部材に対して一端像側に後退させてから退避させるという複雑な退避軌道を採用している。退避レンズ群にそのような複雑な動作をさせるためには、複雑な機構が必要になり、レンズ鏡筒全体の構成も複雑なものになってしまう。このため、レンズ鏡筒の製造コストが嵩むという問題が発生する。
【０００６】
また、このレンズ鏡筒は、退避レンズ群と非退避レンズ群との間に配置された光規制部材のため、撮影時に非退避レンズと退避レンズとを近づけることに限界が生じ、高倍率の光学設計が困難になっている。
【０００７】
本発明は、上述した従来技術による問題点を解消するため、簡易な構成で、非退避レンズ群と退避レンズ群との間に配置された光規制部材等との干渉を回避しながら、非撮影状態へ移行する際の退避レンズ群の退避、および撮影状態時に要求される光学素子の配置を容易に実現することができる沈胴式のレンズ鏡筒を提供することを目的とする。
【０００８】
また、非退避レンズ群と退避レンズ群との間に光規制部材等が備えられているにもかかわらず、撮影時に非退避レンズ群と退避レンズ群とを近付けて、高倍率レンズを実現することが可能なレンズ鏡筒を提供することも本発明の目的である。
【課題を解決するための手段】
【０００９】
上述した課題を解決し、目的を達成するため、本発明にかかるレンズ鏡筒は、ズームレンズの一部を構成し、撮影状態では前記ズームレンズの光軸位置に移動し、非撮影状態では前記光軸位置から退避位置に退避する退避レンズ群を有する沈胴式のレンズ鏡筒であって、前記退避レンズ群が前記光軸位置または前記退避位置に位置するように制御する退避レンズ群位置制御手段と、前記ズームレンズの光軸に沿う方向へ移動し前記退避レンズ群との相対距離を変化させることが可能な光規制部材と、を備え、第１の撮影状態では、前記光規制部材が、前記退避レンズ群の少なくとも一部と前記光軸と略直交する方向に重なるように配置され、第１の撮影状態から非撮影状態へ移行する際には、前記光規制部材が、前記退避レンズ群から離間する方向へ移動され、前記退避レンズ群と前記光軸に略直交する方向に重ならない位置に配置されることを特徴とする。
【００１０】
さらに、本発明にかかるレンズ鏡筒は、前記発明において、前記ズームレンズの一部を構成し、撮影状態では前記退避レンズ群と隣接して前記退避レンズ群の物体側に配置され、かつ前記光軸に沿う方向へ移動可能な非退避レンズ群を備え、前記第１の撮影状態では、前記退避レンズ群と前記非退避レンズ群とが最も接近するよう配置され、前記第１の撮影状態から非撮影状態へ移行する際に、光軸方向において前記非退避レンズ群の移動量が、前記退避レンズ群の移動量より少ないことを特徴とする。
【００１１】
さらに、本発明にかかるレンズ鏡筒は、前記発明において、前記退避レンズ群位置制御手段が、前記退避レンズ群を保持する退避レンズ群枠と、前記退避レンズ群が前記光軸位置または前記退避位置に位置するように前記退避レンズ群枠を移動させる退避レンズ群枠移動手段と、前記退避レンズ群枠および前記退避レンズ群枠移動手段を収容するベース部材と、を備え、前記退避レンズ群の前記ベース部材に対する前記光軸に沿う方向の相対位置は一定に保持されていることを特徴とする。
【００１２】
さらに、本発明にかかるレンズ鏡筒は、前記発明において、前記光規制部材が、前記光軸に沿う方向へ付勢する付勢部材を介して前記ベース部材に取り付けられており、第１の撮影状態では、前記光規制部材が、押圧されて前記退避レンズ群の少なくとも一部と前記光軸と略直交する方向に重なるように配置され、第１の撮影状態から非撮影状態へ移行する際には、前記光規制部材が、押圧状態から解除されて、前記付勢部材の付勢により前記退避レンズ群から離間する方向へ移動され、前記退避レンズ群と前記光軸に略直交する方向に重ならない位置に配置されることを特徴とする。
【００１３】
さらに、本発明にかかるレンズ鏡筒は、前記発明において、前記ズームレンズの一部を構成し、撮影状態では前記退避レンズ群と隣接して前記退避レンズ群の物体側に配置され、かつ前記光軸に沿う方向へ移動可能な非退避レンズ群を備え、第１の撮影状態では、前記ベース部材が前記非退避レンズ群の方向へ移動し、前記光規制部材が前記非退避レンズ群を保持する非退避レンズ群枠によって押圧されることで、前記退避レンズ群と前記非退避レンズ群との間隔が非撮影状態よりも狭くなることを特徴とする。
【００１４】
さらに、本発明にかかるレンズ鏡筒は、前記発明において、前記非退避レンズ群枠が、前記光規制部材を押圧する押圧部材を備え、前記押圧部材と前記付勢部材とは、光軸と略平行な同一直線上に配置されるように形成されていることを特徴とする。
【００１５】
さらに、本発明にかかるレンズ鏡筒は、前記発明において、前記退避レンズ群の前記非退避レンズ群に対向する面は凸形状をなし、前記非退避レンズ群の前記退避レンズ群に対向する面は凹形状をなしており、前記第１の撮影状態では、前記退避レンズ群の凸形状面の頂部は、前記非退避レンズ群の凹形状面の凹部に入り込んでいることを特徴とする。
【００１６】
さらに、本発明にかかるレンズ鏡筒は、前記発明において、前記ズームレンズの一部を構成し、撮影状態では前記退避レンズ群と隣接して配置される第２の非退避レンズ群を備え、非撮影状態では、前記光規制部材が、前記第２の非退避レンズ群の少なくとも一部と前記光軸と略直交する方向に重なるように配置されることを特徴とする。
【００１７】
さらに、本発明にかかるレンズ鏡筒は、前記発明において、前記光規制部材が、遮光部材または可変絞りによって構成されることを特徴とする。
【発明の効果】
【００１８】
本発明にかかるレンズ鏡筒は、簡易な構成で、非退避レンズ群と退避レンズ群との間に配置された光規制部材等との干渉を回避しながら、非撮影状態へ移行する際の退避レンズ群の退避、および撮影状態時に要求される光学素子の配置を容易に実現することができるという効果を奏する。
【００１９】
また、本発明にかかるレンズ鏡筒は、退避レンズ群と非退避レンズ群との間に光規制部材等が備えられているにもかかわらず、撮影時に退避レンズ群と非退避レンズ群とを近付けて、高倍率レンズを実現することができるという効果を奏する。
【図面の簡単な説明】
【００２０】
【図１】実施の形態１にかかるレンズ鏡筒の主要部の構成を示す光軸に沿う断面図である。
【図２−１】実施の形態１にかかるレンズ鏡筒が最高倍率撮影状態にある場合の態様を示す図である。
【図２−２】実施の形態１にかかるレンズ鏡筒が通常撮影状態にある場合の態様を示す図である。
【図２−３】実施の形態１にかかるレンズ鏡筒が非撮影状態にある場合の態様を示す図である。
【図３】実施の形態２にかかるレンズ鏡筒の主要部の構成を示す光軸に沿う断面図である。
【図４−１】実施の形態２にかかるレンズ鏡筒が最高倍率撮影状態にある場合の態様を示す図である。
【図４−２】実施の形態２にかかるレンズ鏡筒が通常撮影状態にある場合の態様を示す図である。
【図４−３】実施の形態２にかかるレンズ鏡筒が非撮影状態にある場合の態様を示す図である。
【発明を実施するための形態】
【００２１】
以下、添付図面を参照して、本発明にかかるレンズ鏡筒の好適な実施の形態を詳細に説明する。なお、以下の実施の形態により本発明が限定されるものではない。
【００２２】
（実施の形態１）
実施の形態１にかかるレンズ鏡筒は、ズームレンズを構成する複数のレンズ群を備えており、各レンズ群の間隔を変化させることにより変倍を行う。このレンズ鏡筒は、沈胴式のレンズ鏡筒であって、撮影状態（伸長状態）から非撮影状態（沈胴状態）へ移行するときの動作に連動して、公知の手法によってズームレンズを構成する一部のレンズ群（退避レンズ群）をズームレンズの光軸位置から退避位置へ退避させる。そして、一部のレンズ群の退避によって生じた空間に他の変倍レンズ群の一部を挿入することにより、非撮影状態時における全長を短縮する。
【００２３】
図１は、実施の形態１にかかるレンズ鏡筒の主要部の構成を示す光軸に沿う断面図である。同図は、非撮影時の態様を示しており、上側が物体側である。実施の形態１にかかるレンズ鏡筒１００は、第１レンズ群１１０と、第２レンズ群１２０と、第３レンズ群１３０と、第１レンズ群枠１４０と、第２レンズ群枠１５０と、第３レンズ群枠１６０と、スライドベース１７０と、遮光部材１８０と、付勢バネ１９０と、を備えている。このレンズ鏡筒１００に収容されるズームレンズは、第１レンズ群１１０、第２レンズ群１２０、および第３レンズ群１３０を含み構成される。
【００２４】
第１レンズ群１１０は、最も物体側に配置されており、像側面が凹形状を有している。第１レンズ群１１０は、第１レンズ群枠１４０に保持されている。第１レンズ群１１０は、ズームレンズの光軸Ｏに対して略直交する方向に移動しない、非退避レンズ群である。なお、第１レンズ群枠１４０は、レンズ鏡筒１００の撮影状態から非撮影状態、または非撮影状態から撮影状態へ移行する動作に伴って、光軸Ｏに沿って移動する。これによって、第１レンズ群１１０を光軸Ｏに沿って移動させることができる。また、第１レンズ群枠１４０には、遮光部材１８０を押圧する押圧部材１４１が形成されている（詳細は後述）。
【００２５】
第２レンズ群１２０は、退避レンズ群であり、両凸レンズで構成されている。第２レンズ群１２０は、第２レンズ群枠１５０に保持されている。第２レンズ群枠１５０には、第２レンズ群枠移動手段（不図示）が設けられている。この第２レンズ群枠移動手段は、レンズ鏡筒１００の撮影状態から非撮影状態、または非撮影状態から撮影状態へ移行するときの動作に連動して、公知の方法により第２レンズ群１２０が光軸Ｏの位置と退避位置との間を移行するように第２レンズ群枠１５０を光軸Ｏに対して略直交する方向に移動させる。
【００２６】
スライドベース１７０は、物体側に大開口部１７０ａ、像側に小開口部１７０ｂが形成された略コの字形状の部材により構成されている。大開口部１７０ａは第１レンズ群枠１４０の径よりも若干広く形成され、小開口部１７０ｂは第３レンズ群１３０をゆとりをもって収容できる程度の大きさに形成されている。
【００２７】
スライドベース１７０は、第２レンズ群１２０、第２レンズ群枠１５０、および第２レンズ群枠移動手段を収容し、これらで第２レンズ群１２０の位置制御手段（退避レンズ位置制御手段）を構成している。スライドベース１７０は、レンズ鏡筒１００の撮影状態から非撮影状態、または非撮影状態から撮影状態へ移行する動作に伴って光軸Ｏに沿って移動する。なお、スライドベース１７０が移動してもスライドベース１７０に対して第２レンズ群１２０は光軸Ｏに沿う方向へは移動せず、第２レンズ群１２０のスライドベース１７０に対する光軸Ｏに沿う方向の相対位置は一定に保持されている。
【００２８】
また、スライドベース１７０は、撮影状態において単独で光軸Ｏに沿って移動することも可能である。スライドベース１７０の動作は、レンズ鏡筒１００の内部に設けられた駆動手段（不図示）等、公知の手法によって行われる。スライドベース１７０が移動することで、これに収容されている第２レンズ群１２０を光軸Ｏに沿って移動させることができるようになる。
【００２９】
また、スライドベース１７０の大開口部１７０ａには、付勢バネ１９０を介してその中央部に開口部を有する光規制部材である遮光部材１８０が取り付けられている。遮光部材１８０は、第２レンズ群１２０の口径よりも若干大きい開口径を有しており、付勢バネ１９０によって常時物体側（光軸Ｏに沿う方向）へ付勢されている。付勢バネ１９０による付勢のみによって、遮光部材１８０とスライドベース１７０に収容されている他の部材との光軸Ｏに沿う方向の距離が一定に保たれ、遮光部材１８０とスライドベース１７０に収容されている他の部材とが干渉しないようになっている。したがって、遮光部材１８０が押圧部材１４１により押圧されていない状態では、第２レンズ群１２０が光軸Ｏの位置と退避位置との間を移行しても、第２レンズ群１２０やこれを保持する第２レンズ群枠１５０と遮光部材１８０とが接触することはない。
【００３０】
遮光部材１８０は、第１レンズ群枠１４０に形成された押圧部材１４１に押圧され、または押圧が解除されることにより、スライドベース１７０に対して光軸Ｏに沿う方向の所定領域内を移動可能になっている。遮光部材１８０が押圧部材１４１により押圧されてスライドベース１７０に対して像側へ移動することで、遮光部材１８０の開口部から第２レンズ群１２０の一部が物体側へ突出するようになっている。また、押圧部材１４１と付勢バネ１９０とは、光軸Ｏと略平行な同一直線上に配置されるように形成することで、遮光部材１８０の光軸Ｏに対する倒れを確実に防止することができる。
【００３１】
第３レンズ群１３０は、撮影状態では、第２レンズ群１２０の像側に配置されている。第３レンズ群１３０は、第３レンズ群枠１６０に保持されている。第３レンズ群１３０は、光軸Ｏに対して略直交する方向に移動しない。なお、第３レンズ群枠１６０は、レンズ鏡筒１００の撮影状態から非撮影状態、または非撮影状態から撮影状態へ移行する動作に伴って、光軸Ｏに沿って移動する。これによって、第３レンズ群１３０を光軸Ｏに沿って移動させることができる。
【００３２】
次に、実施の形態１にかかるレンズ鏡筒１００の各態様を説明する。図２−１は、実施の形態１にかかるレンズ鏡筒が最高倍率撮影状態にある場合の態様を示す図である。図２−２は、実施の形態１にかかるレンズ鏡筒が通常撮影状態にある場合の態様を示す図である。図２−３は、実施の形態１にかかるレンズ鏡筒が非撮影状態にある場合の態様を示す図である。いずれの図も上側が物体側である。
【００３３】
図２−１に示すように、最高倍率撮影状態（第１の撮影状態）では、レンズ鏡筒１００は伸長している。このとき、第２レンズ群１２０はズームレンズの光軸Ｏ上に配置されている。そして、スライドベース１７０が第１レンズ群枠１４０に近づくことにより、第１レンズ群枠１４０に形成された押圧部材１４１が、遮光部材１８０をスライドベース１７０側へ押圧する。このため、第２レンズ群１２０の一部が遮光部材１８０の開口部から突出する。
【００３４】
すなわち、遮光部材１８０が第２レンズ群１２０の一部と光軸Ｏと略直交する方向に重なるように配置される。最高倍率撮影状態（第１の撮影状態）では、第１レンズ群１１０と第２レンズ群１２０とが最も接近するように配置される。
【００３５】
さらに、第２レンズ群１２０の最も物体側の面は凸形状であり、第１レンズ群１１０の最も像側の面は凹形状であるため、最高倍率撮影状態（第１の撮影状態）では、第２レンズ群１２０の凸形状面の頂部は、遮光部材１８０の開口部から突出し、第１レンズ群１１０の凹形状面の凹部に入り込むことで、遮光部材１８０の存在を気にする必要がなく、最大限に第２レンズ群１２０を第１レンズ群１１０に近付けることができ、高倍率レンズを実現することができる。
【００３６】
図２−２に示すように、通常撮影状態（第２の撮影状態）では、スライドベース１７０が図２−１に示された位置よりも像側に移動し、第１レンズ群枠１４０と遮光部材１８０とが非接触状態になる。このとき、遮光部材１８０は、押圧部材１４１による押圧から解除され、付勢バネ１９０の付勢力により物体側へ移動されることになり、第２レンズ群１２０から離れる。すなわち、スライドベース１７０に対して物体側に移動する。この状態で、第２レンズ群１２０を光軸Ｏに対して略直交する方向に移動させても、第２レンズ群１２０やこれを保持する第２レンズ群枠１５０が遮光部材１８０と接触することはない。
【００３７】
次に、レンズ鏡筒１００が沈胴動作を開始すると、沈胴動作に付随して、第２レンズ群枠移動手段（不図示）の動作により、図２−２に示された状態から、第２レンズ群１２０を保持する第２レンズ群枠１５０が、光軸Ｏに対して略直交する方向に移動して、第２レンズ群１２０をズームレンズの光軸Ｏの位置から退避位置へ退避させる。
【００３８】
そして、図２−３に示すように、スライドベース１７０が第３レンズ群枠１６０へ近接し、第３レンズ群１３０を小開口部１７０ｂから受け入れて第２レンズ群１２０の退避によって形成されたスペースへ収容する。これら一連の動作に連動して、第１レンズ群枠１４０が遮光部材１８０を押圧しない程度の距離までスライドベース１７０まで近づき、撮影状態から非撮影状態への移行が完了する。
【００３９】
最高倍率撮影状態（第１の撮影状態）から非撮影状態へ移行する際に、光軸方向において第１レンズ群１１０の移動量が第２レンズ群１２０の移動量より少なくなるように設定することで、非撮影状態へ移行する際に第２レンズ群１２０が遮光部材１８０と干渉することなく、単純な退避軌道にて退避位置に退避することができる。
【００４０】
さらに、非撮影状態では、図２−３に示すように、第３レンズ群１３０の最も物体側に位置する凸面の頂部は、遮光部材１８０の開口部から突出する。すわなち、遮光部材１８０が第３レンズ群１３０の一部と光軸Ｏと略直交する方向に重なるように配置される。このため、非撮影状態におけるレンズ鏡筒１００の光軸方向の大きさを極力抑制することができる。
【００４１】
以上説明したように、実施の形態１にかかるレンズ鏡筒１００では、第２レンズ群１２０を収容するスライドベース１７０に付勢バネ１９０を介して遮光部材１８０が取り付けられている。このため、スライドベース１７０を光軸Ｏに沿って移動させて遮光部材１８０に対する押圧部材１４１の押圧を解除するだけで、遮光部材１８０と第２レンズ群１２０および第２レンズ群枠１５０とが干渉しないように一定の間隔を保持（遮光部材１８０と第２レンズ群１２０および第２レンズ群枠１５０とが光軸Ｏに対して略直交する方向に重ならないように）することができる。したがって、非撮影状態へ移行する際の第２レンズ群１２０の退避軌道を単純にすることができる。また、撮影状態を形成する場合も、非撮影状態へ移行する際の第２レンズ群１２０の退避軌道を逆に辿ればよいので、撮影状態時に要求される各レンズ群の配置を容易に実現できる。
【００４２】
このように、実施の形態１にかかるレンズ鏡筒１００では、撮影状態から非撮影状態への移行や、非撮影状態から撮影状態への移行において、各レンズ群が移動する軌道が単純であるため、各レンズ群の駆動機構を含めレンズ鏡筒全体を簡易な構成で実現することができる。特に、遮光部材１８０への押圧を解除するだけで、退避レンズ群である第２レンズ群１２０の退避軌道は単純でも遮光部材１８０との干渉が回避できる。このため、第２レンズ群１２０の位置を制御する退避レンズ群位置制御手段を、スライドベース１７０と、これに収容される第２レンズ群枠１５０と、第２レンズ群枠移動手段と、による簡易な構成で実現することができる。よって、レンズ鏡筒１００の製造コストを低減することが可能になる。
【００４３】
また、実施の形態１にかかるレンズ鏡筒１００は、撮影状態において、スライドベース１７０を鏡筒の動作と独立させて光軸Ｏに沿って移動させて、第１レンズ群１１０と第２レンズ群１２０との距離を近付けることができる。そして、第１レンズ群枠１４０に形成された押圧部材１４１が遮光部材１８０をスライドベース１７０側に押圧するようにスライドベース１７０を第１レンズ群枠１４０に近付ければ、第２レンズ群１２０が遮光部材１８０の開口部から物体側へ突出し、さらに第１レンズ群１１０と第２レンズ群１２０とを近付けることができ、容易に高倍率のレンズを実現することができる。
【００４４】
（実施の形態２）
次に、実施の形態２にかかるレンズ鏡筒について説明する。実施の形態２では、光規制部材として可変絞りを用いたレンズ鏡筒の一例を示す。実施の形態２にかかるレンズ鏡筒は、可変絞りを用いたこと以外は実施の形態１に示したレンズ鏡筒１００と同様の構成である。以下では、実施の形態１のレンズ鏡筒１００に用いられている部材と同様の部材には同じ符号を付して説明する。
【００４５】
図３は、実施の形態２にかかるレンズ鏡筒の主要部の構成を示す光軸に沿う断面図である。同図は、非撮影時の態様を示しており、上側が物体側である。実施の形態２にかかるレンズ鏡筒２００は、第１レンズ群１１０と、第２レンズ群１２０と、第３レンズ群１３０と、第１レンズ群枠１４０と、第２レンズ群枠１５０と、第３レンズ群枠１６０と、スライドベース１７０と、可変絞り２１０と、付勢バネ１９０と、を備えている。
【００４６】
可変絞り２１０は、可変絞りベース２１１と、可変絞り羽根２１２と、からなっている。可変絞り２１０は、可変絞りベース２１１によって可変絞り羽根２１２の開閉を任意に制御することができる。
【００４７】
この可変絞り２１０は、スライドベース１７０の大開口部１７０ａに、付勢バネ１９０を介して取り付けられている。可変絞り２１０は付勢バネ１９０によって常時物体側に付勢されている。付勢バネ１９０による付勢によって、可変絞り２１０とスライドベース１７０に収容されている他の部材との光軸Ｏに沿う方向の距離が一定に保たれ、可変絞り２１０とスライドベース１７０に収容されている他の部材とが干渉しないようになっている。したがって、可変絞り２１０が押圧部材１４１により押圧されていない状態では、第２レンズ群１２０がズームレンズの光軸Ｏの位置と退避位置との間を移動する場合でも、第２レンズ群１２０やこれを保持する第２レンズ群枠１５０が可変絞り２１０と接触することはない。
【００４８】
可変絞り２１０は、第１レンズ群枠１４０に形成された押圧部材１４１に押圧され、または押圧が解除されることにより、スライドベース１７０に対して光軸Ｏに沿う方向の所定領域内を移動可能になっている。可変絞り２１０では、可変絞りベース２１１によって可変絞り羽根２１２の開閉が制御される。可変絞り羽根２１２は、最大で第２レンズ群１２０を保持する第２レンズ群枠１５０の外径よりも若干大きい開口を形成することができるようになっている。可変絞り２１０が押圧部材１４１により押圧されてスライドベース１７０に対する像側への移動量が最大になった場合、可変絞り羽根２１２の開口部から第２レンズ群１２０を保持する第２レンズ群枠１５０の一部が物体側へ突出するようになっている。このようにすることで、このレンズ鏡筒２００は実施の形態１に示したレンズ鏡筒１００よりも第２レンズ群１２０をさらに第１レンズ群１１０に近付けることが可能になる。
【００４９】
この他の構成は実施の形態１の場合と同様であるため、詳細な説明は省略する。
【００５０】
次に、実施の形態２にかかるレンズ鏡筒２００の各態様を説明する。図４−１は、実施の形態２にかかるレンズ鏡筒が最高倍率撮影状態にある場合の態様を示す図である。図４−２は、実施の形態２にかかるレンズ鏡筒が通常撮影状態にある場合の態様を示す図である。図４−３は、実施の形態２にかかるレンズ鏡筒が非撮影状態にある場合の態様を示す図である。いずれの図も上側が物体側である。
【００５１】
図４−１に示すように、最高倍率撮影状態（第１の撮影状態）では、レンズ鏡筒２００は伸長している。このとき、第２レンズ群１２０はズームレンズの光軸Ｏ上に配置されている。そして、スライドベース１７０が第１レンズ群枠１４０に近づくことにより、第１レンズ群枠１４０に形成された押圧部材１４１が、可変絞り２１０をスライドベース１７０側へ押圧する。この動作に呼応して、可変絞り２１０の可変絞りベース２１１が可変絞り羽根２１２を制御して可変絞り羽根２１２の開口を最大に開く。このため、第２レンズ群枠１５０の一部が可変絞り羽根２１２の開口部から突出する。
【００５２】
すなわち、可変絞り２１０が第２レンズ群１２０の一部と光軸Ｏと略直交する方向に重なるように配置される。最高倍率撮影状態（第１の撮影状態）では、第１レンズ群１１０と第２レンズ群１２０とが最も接近するように配置される。
【００５３】
さらに、第２レンズ群１２０の最も物体側の面は凸形状であり、第１レンズ群１１０の最も像側の面は凹形状であるため、最高倍率撮影状態（第１の撮影状態）では、第２レンズ群１２０の凸形状面の頂部は、可変絞り羽根２１２の開口部から突出し、第１レンズ群１１０の凹形状面の凹部に入り込むことで、第２レンズ群１２０を第１レンズ群１１０に近付けることができ、高倍率レンズを実現することができる。
【００５４】
特に、このレンズ鏡筒２００では、可変絞り２１０を採用しているため、可変絞り羽根２１２の開口を大きく開くことで、実施の形態１の場合より第２レンズ群１２０を第１レンズ群１１０に近づけても、第２レンズ群１２０が可変絞り羽根２１２と干渉することはない。このため、レンズ鏡筒２００では、第２レンズ群１２０をより第１レンズ群１１０に近付けることが可能になり、実施の形態１のレンズ鏡筒１００よりも、高倍率のレンズを構成することができる。
【００５５】
図４−２に示すように、通常撮影状態（第２の撮影状態）では、スライドベース１７０が図４−１に示された位置よりも像側に移動し、第１レンズ群枠１４０と可変絞り２１０とが非接触状態になる。このとき、可変絞り２１０は、押圧部材１４１による押圧から解除され、付勢バネ１９０の付勢力により物体側へ移動されることになり、第２レンズ群枠１５０から離れる。この動作に呼応して、可変絞り２１０の可変絞りベース２１１が可変絞り羽根２１２を制御して可変絞り羽根２１２の開口を通常撮影に適するように絞る。なお、この状態で、第２レンズ群１２０を光軸Ｏに対して略直交する方向に移動させても、第２レンズ群１２０やこれを保持する第２レンズ群枠１５０が可変絞り２１０と接触することはない。
【００５６】
次に、レンズ鏡筒２００が沈胴動作を開始すると、沈胴動作に付随して、第２レンズ群枠移動手段（不図示）の動作により、図４−２に示された状態から、第２レンズ群１２０を保持する第２レンズ群枠１５０が、光軸Ｏに対して略直交する方向に移動して、第２レンズ群１２０をズームレンズの光軸Ｏの位置から退避位置へ退避させる。
【００５７】
そして、図４−３に示すように、スライドベース１７０が第３レンズ群枠１６０へ近接し、第３レンズ群１３０を小開口部１７０ｂから受け入れて第２レンズ群１２０の退避によって形成されたスペースへ収容する。これら一連の動作に連動して、第１レンズ群枠１４０が可変絞り２１０を押圧しない程度の距離までスライドベース１７０まで近づき、撮影状態から非撮影状態への移行が完了する。
【００５８】
最高倍率撮影状態（第１の撮影状態）から非撮影状態へ移行する際に、光軸方向において第１レンズ群１１０の移動量が第２レンズ群１２０の移動量より少なくなるように設定することで、非撮影状態へ移行する際に第２レンズ群１２０が可変絞り２１０と干渉することなく、単純な退避軌道にて退避位置に退避することができる。
【００５９】
以上説明したように、実施の形態２にかかるレンズ鏡筒２００は、実施の形態１のレンズ鏡筒１００が有する利点に加え、可変絞り２１０を備えたことにより、各撮影状態において最適な絞り開口を形成することができる。また、可変絞り２１０の可変絞り羽根２１２が最大開口を形成することで、第２レンズ群１２０を実施の形態１の場合よりもさらに第１レンズ群１１０に近付けることが可能になり、より高倍率のレンズを実現することが可能になる。
【産業上の利用可能性】
【００６０】
以上のように、本発明にかかるレンズ鏡筒は、小型化が要求される各種撮像装置に有用であり、特に、小型、高倍率のレンズが要求される撮像装置に適している。
【符号の説明】
【００６１】
１００，２００  レンズ鏡筒
１１０  第１レンズ群（非退避レンズ群）
１２０  第２レンズ群（退避レンズ群）
１３０  第３レンズ群（第２の非退避レンズ群）
１４０  第１レンズ群枠（非退避レンズ群枠）
１４１  押圧部材
１５０  第２レンズ群枠（退避レンズ群枠）
１６０  第３レンズ群枠
１７０  スライドベース（ベース部材）
１７０ａ  大開口部
１７０ｂ  小開口部
１８０  遮光部材
１９０  付勢バネ（付勢部材）
２１０  可変絞り
２１１  可変絞りベース
２１２  可変絞り羽根
Ｏ  光軸
【図１】
2014145994.tif 000003
【図２−１】
2014145994.tif 000004
【図２−２】
2014145994.tif 000005
【図２−３】
2014145994.tif 000006
【図３】
2014145994.tif 000007
【図４−１】
2014145994.tif 000008
【図４−２】
2014145994.tif 000009
【図４−３】
2014145994.tif 000010